(57)【要約】【課題】消費電力、ランニングコストおよび製作コストを低減させるとともに製作負担を軽減することができる低誘引性照明装置を提供する。【解決手段】低誘引性照明装置１００は、ベース体１０１に低活性光照射光源１１０と利用光照射光源１３０とを備えている。低活性光照射光源１１０は、害虫などの虫が明適応となる５９０ｎｍの波長が発光ピークとなる低活性光Ｌ１を照射するＬＥＤ発光素子で構成されている。利用光照射光源１３０は、低活性光とは異なる白色光からなる利用光Ｌ２を照射するＬＥＤ発光素子で構成されている。この利用光照射光源１３０は、ベース体１０１の中央部に設けられている。また、低活性光照射光源１１０は、低活性光Ｌ１の照射領域が利用光Ｌ２の照射領域の周囲を囲むように利用光照射光源１３０の周囲に配置されている。【選択図】  図４
2015130305.tif 000002
【特許請求の範囲】
【請求項１】
５００ｎｍ以上かつ６２０ｎｍ以下の波長領域で発光ピークを有する低活性光を照射する低活性光照射手段と、
前記低活性光とは異なる色の光または視認することができない光からなる利用光を照射する利用光照射手段とを有し、
前記低活性光照射手段は、
前記低活性光の照射領域が前記利用光の照射領域の周囲の少なくとも半分以上を囲むように前記利用光照射手段の周囲に配置されていることを特徴とする低誘引性照明装置。
【請求項２】
請求項１に記載した低誘引性照明装置において、
前記低活性光照射手段は、
前記低活性光の照射領域が前記利用光の照射領域の全周を囲むように前記利用光照射手段の周囲に配置されていることを特徴とする低誘引性照明装置。
【請求項３】
請求項１または請求項２に記載した低誘引性照明装置において、さらに、
前記利用光照明手段における前記利用光の照射および照射停止を制御する利用光制御手段を備えることを特徴とする低誘引性照明装置。
【請求項４】
請求項３に記載した低誘引性照明装置において、
前記利用光制御手段は、
前記利用光照明手段における前記利用光の照射領域内への物体の進入を検出する進入検出センサであることを特徴とする低誘引性照明装置。
【請求項５】
請求項１ないし請求項４のうちのいずれか１つに記載した低誘引性照明装置において、さらに、
少なくとも前記低活性光を拡散反射させるための拡散反射体を備えることを特徴とする低誘引性照明装置。
【請求項６】
請求項１ないし請求項５のうちのいずれか１つに記載した低誘引性照明装置において、さらに、
前記低活性光照射手段および前記利用光操作手段を支持するベース体を備えており、
前記ベース体は、
前記低活性光照射手段から照射される前記低活性光を前記低誘引性照明装置が取り付けられる取付面に向かう方向から同取付面に対して平行な方向までの角度範囲内のいずれかの向きで照射するように前記低活性光照射手段を支持するとともに、前記利用光照射手段から照射される前記利用光を前記取付面に対して対向する方向から同取付面に対して平行な方向までの角度範囲内のいずれかの向きで照射するように前記利用光照射手段を支持することを特徴とする低誘引性照明装置。
【請求項７】
請求項１ないし請求項６のうちのいずれか１つに記載した低誘引性照明装置において、
前記利用光照射手段は、
白色光を照射することを特徴とする低誘引性照明装置。
【発明の詳細な説明】
【技術分野】
【０００１】
本発明は、虫が誘引されることを抑えることができる低誘引性照明装置に関する。
【背景技術】
【０００２】
従来から、虫が誘引されることや虫が活発に活動することを抑制することを目的とした照明装置が提案されている。例えば、下記特許文献１には、白色の光を発光する複数の第１の発光素子間に５００ｎｍ以上の波長領域で発光ピークを有する複数の第２の発光素子を分散配置した照明装置（低誘引性照明装置）が開示されている。
【先行技術文献】
【特許文献】
【０００３】
【特許文献１】特開２００９−２２４１４８号公報
【０００４】
しかしながら、上記特許文献１に記載された照明装置においては、複数の第１の発光素子に対して複数の第２の発光素子を用意しなければならないとともにこれら複数の第２の発光素子を第１の発光素子に対して均等に分散配置しなければならず、照明装置における消費電力やランニングコストの増大、製作コストの増大、および製作の煩雑化を招来するという問題があった。
【０００５】
本発明は上記問題に対処するためなされたもので、その目的は、消費電力、ランニングコストおよび製作コストを低減させるとともに製作負担を軽減することができる低誘引性照明装置を提供することにある。
【発明の概要】
【０００６】
上記目的を達成するため、本発明の特徴は、５００ｎｍ以上かつ６２０ｎｍ以下の波長領域で発光ピークを有する低活性光を照射する低活性光照射手段と、低活性光とは異なる色の光または視認することができない光からなる利用光を照射する利用光照射手段とを有し、低活性光照射手段は、低活性光の照射領域が利用光の照射領域の周囲の少なくとも半分以上を囲むように利用光照射手段の周囲に配置されていることにある。この場合、低誘引性照明装置は、低活性光照射手段および利用光照射手段を蛍光灯やＬＥＤ（Light Emitting Diode：発光ダイオード）などの発光体で構成した照明器具で構成できるとともに、低活性光照射手段と利用光照射手段とをそれぞれ別個の照明器具を組み合わせて構成することもできる。また、本発明者の実験によれば、低活性光の発光ピークは、好ましくは５７０ｎｍ以上かつ５９０ｎｍ以下の波長領域（黄色の光）、より好ましくは５９０ｎｍ以上かつ６２０ｎｍ以下（オレンジ色の光）の波長領域に設定するとよい。また、利用光は、低活性光の発光ピークとは異なる波長を発光ピークとする光の他に、低活性光の発光ピークを構成する波長を含みつつ他の波長を含むことによって低活性光とは異なる色に見える可視光や視認できない光（例えば、紫外線や赤外線）を含むものである。そして、この利用光は、低誘引性照明装置の利用者が必要とする光であり、例えば、利用者の手元を明るくする光であったり、作業をし易くする光であったり、植物の育成に適した光である。
【０００７】
このように構成した本発明の特徴によれば、低誘引性照明装置は、虫が明適応となる低活性光の照射領域が低活性光の発光ピークとは異なる色または無色の利用光の照射領域の少なくとも半分以上を囲むように構成されているため、低活性光によって囲まれた外側において虫の走光性や活動が抑えられる。この場合、低誘引性照明装置は、必ずしも低活性光を照射する低活性光照射手段および利用光を照射する利用光照射手段をそれぞれ複数ずつ用意する必要がないとともに、利用光照射手段を低活性光照射手段に対して分散配置する必要もない。この結果、低誘引性照明装置は、消費電力、ランニングコストおよび製作コストを低減させるとともに製作負担を軽減することができる。なお、虫とは、光によって直接誘引される虫（例えば、ユスリカ、ガ、ハエ、カメムシ、カナブン、カブトムシなど）のほか、光によって直接誘引されるこれらの虫を捕食する所謂捕虫害虫（例えば、クモやカマキリなど）を含むものである。また、低活性光照射手段の配置は、利用光照射手段の周囲の全周に配置するほかに利用光照射手段の周囲の一部にのみ配置することを含むものである。
【０００８】
また、本発明の他の特徴は、前記低誘引性照明装置において、低活性光照射手段は、低活性光の照射領域が利用光の照射領域の全周を囲むように利用光照射手段の周囲に配置されていることにある。
【０００９】
このように構成した本発明の他の特徴によれば、低誘引性照明装置は、低活性光の照射領域が利用光の照射領域の全周を囲むように構成されているため、低誘引性照明装置の周囲の全方向からの虫の誘引や活動の活発化を防止することができる。低活性光照射手段の配置は、利用光照射手段の周囲の全周に完全に配置することのみを意味するものではなく、低活性光の照射領域が利用光の照射領域の全周を囲むように配置すれば、利用光照射手段の周囲の一部に低活性光照射手段が配置されていない隙間があることを許容するものである。
【００１０】
また、本発明の他の特徴は、前記低誘引性照明装置において、さらに、利用光照明手段における利用光の照射および照射停止を制御する利用光制御手段を備えることにある。
【００１１】
このように構成した本発明の他の特徴によれば、低誘引性照明装置は、利用光照明手段における利用光の照射および照射停止を制御する利用光制御手段を備えているため、利用光を選択的に照射することができ、より効果的に虫の誘引および活性化を抑制することができる。
【００１２】
また、本発明の他の特徴は、前記低誘引性照明装置において、利用光制御手段は、利用光照明手段における利用光の照射領域内への物体の進入を検出する進入検出センサであることにある。
【００１３】
このように構成した本発明の他の特徴によれば、低誘引性照明装置は、利用光制御手段が利用光の照射領域内への物体の進入を検出する進入検出センサで構成されているため、人や物の存在を検知して利用光が必要なときのみ照射することができ、より効果的に虫の誘引および活性化を抑制することができる。
【００１４】
また、本発明の他の特徴は、前記低誘引性照明装置において、さらに、少なくとも低活性光を拡散反射させるための拡散反射体を備えることにある。
【００１５】
このように構成した本発明の他の特徴によれば、低誘引性照明装置は、少なくとも低活性光を拡散反射させる拡散反射体を備えているため、低活性光の指向性を緩和して広範な領域に低活性光を照射することができる。なお、この場合、拡散反射体は、照射され低活性光の全てを拡散反射させる構成（例えば、金属板）の他に、照射された光の一部を透過させるとともに他の一部を拡散反射させる構成（乳白色の樹脂板）を採用することができる。また、拡散反射体は、低活性光に加えて利用光も拡散反射するように構成してもよい。
【００１６】
また、本発明の他の特徴は、前記低誘引性照明装置において、さらに、低活性光照射手段および利用光操作手段を支持するベース体を備えており、ベース体は、低活性光照射手段から照射される低活性光を低誘引性照明装置が取り付けられる取付面に向かう方向から同取付面に対して平行な方向までの角度範囲内のいずれかの向きで照射するように低活性光照射手段を支持するとともに、利用光照射手段から照射される利用光を取付面に対して対向する方向から同取付面に対して平行な方向までの角度範囲内のいずれかの向きで照射するように利用光照射手段を支持することにある。
【００１７】
このように構成した本発明の他の特徴によれば、低誘引性照明装置は、低活性光照射手段が取付面に向かう方向から同取付面に対して平行な方向までの角度範囲内のいずれかの向きで低活性光を照射するようにベース体に支持されているため、低活性光を散乱光で照射することができる。また、低誘引性照明装置は、利用光照射手段が取付面に対して対向する方向から同取付面に対して平行な方向までの角度範囲内のいずれかの向きで利用光を照射するようにベース体に支持されているため、利用光が必要な箇所に利用光を直接または光の散乱を抑制した状態で照射することができる。これらにより、低誘引性照明装置は、低誘引性照明の周囲に対して効果的に虫の誘引および活性化を抑制しつつ利用光の必要な領域に対してスポット的に必要な光量の利用光を照射することができる。
【００１８】
また、本発明の他の特徴は、前記低誘引性照明装置において、利用光照射手段は、白色光を照射することにある。
【００１９】
このように構成した本発明の他の特徴によれば、低誘引性照明装置は、利用光照射手段が白色光を照射するため、利用光の必要な領域に対して汎用性の高い白色光を虫の誘引および活性化を抑制しつつ照射することができる。
【図面の簡単な説明】
【００２０】
【図１】本発明の一実施形態に係る低誘引性照明装置の外観構成の概略を模式的に示す正面断面図である。
【図２】図１に示す低誘引性照明装置のベース体の外観構成の概略を模式的に示す底面図である。
【図３】図１に示す低誘引性照明装置の作動を制御するための制御システムのブロック図である。
【図４】図１に示す低誘引性照明装置における低活性光および利用光の照射状態のイメージを模式的に示す正面断面図である。
【図５】本発明の変形例に係る低誘引性照明装置のベース体の外観構成の概略を模式的に示す底面図である。
【図６】本発明の他の変形例に係る低誘引性照明装置のベース体の外観構成の概略を模式的に示す底面図である。
【図７】（Ａ），（Ｂ）は本発明の他の変形例に係る低誘引性照明装置のベース体の外観構成の概略を模式的に示しており、（Ａ）はベース体の低面図であり、（Ｂ）は低誘引性照明装置における低活性光および利用光の照射状態のイメージを模式的に示す正面図である
【図８】本発明の他の変形例に係る低誘引性照明装置における低活性光および利用光の照射状態のイメージを模式的に示す正面断面図である。
【図９】本発明の他の変形例に係る低誘引性照明装置における利用光照射器具および低活性光照射器具の取付面への配置状態を模式的に示した低面図である。
【図１０】本発明の他の変形例に係る低誘引性照明装置のベース体の外観構成の概略を模式的に示す底面図である。
【発明を実施するための形態】
【００２１】
以下、本発明に係る低誘引性照明装置の一実施形態について図面を参照しながら説明する。図１は、本発明に係る低誘引性照明装置１００の構成の概略を模式的に示す正面断面図である。また、図２は、図１に示す低誘引性照明装置１００のベース体１０１の外観構成の概略を模式的に示す底面図である。また、図３は、図１に示す低誘引性照明装置１００の作動を制御するための制御システムのブロック図である。なお、本明細書において参照する各図は、本発明の理解を容易にするために一部の構成要素を誇張して表わすなど模式的に表していることがあるため、各構成要素間の寸法や比率などは異なっていることがある。この低誘引性照明装置１００は、アパートやマンションなどの集合住宅において、屋外に対して開放された階段や通路などの共用スペースに設置される照明器具である。
【００２２】
（低誘引性照明装置１００の構成）
低誘引性照明装置１００は、ベース体１０１を備えている。ベース体１０１は、後述する低活性光照射光源１１０および利用光照射光源１３０をそれぞれ支持する金属製の部品であり、金属板をプレス加工することによって成形されている。より具体的には、ベース体１０１は、円板状に形成された本体部１０２の中央部に貫通孔が形成されて制御部ハウジング１２０を備えるとともに同本体部１０２の外縁部が図示下方に向かって屈曲して下垂した光源支持壁部１０３が形成されて構成されている。
【００２３】
本体部１０２は、光源支持壁部１０３や後述するカバー１６０をそれぞれ支持する部分であり、低誘引性照明装置１００が取り付けられる天井や壁などの取付面１０に対して平行に延びる平板状に形成されている。この本体部１０２は、低活性光照射光源１１０から照射される低活性光Ｌ１が拡散反射するように金属色で構成されている。
【００２４】
光源支持壁部１０３は、低活性光照射光源１１０およびカバー１６０をそれぞれ保持する部分であり、低活性光照射光源１１０から照射される低活性光Ｌ１の照射方向が取付面１０に対して主に平行となる角度の板状体で環状に形成されている。本実施形態においては、光源支持壁部１０３は、本体部１０２（換言すれば、取付面１０）に対して直交する方向に延びて形成されている。
【００２５】
この光源支持壁部１０３は、先端部の一部がベース体１０１の径方向外側に向かって張り出してカバー保持部１０４が形成されている。カバー保持部１０４は、カバー１６０を着脱自在に引っ掛けて保持する板状の部分である。そして、この光源支持壁部１０３の内周面には、低活性光照射光源１１０が設けられている。
【００２６】
低活性光照射光源１１０は、５００ｎｍ以上かつ６２０ｎｍの波長領域で発光ピークを有する低活性光Ｌ１を照射することができる光学素子である。この場合、低活性光Ｌ１とは、虫が活動を停止して休止状態となる光である。より具体的には、虫が休止状態となる低活性光Ｌ１は、主として夜行性の虫が昼間などの明るい環境下において移動、吸汁、捕食、交尾、産卵などの活動を控えまたは休止する所謂明適応状態となる光であり、概ね５００ｎｍ以上（緑色）かつ６２０ｎｍ（オレンジ色）以下の波長領域の光である。なお、低活性光Ｌ１は、各図において破線で示す。
【００２７】
この低活性光照射光源１１０は、光源支持壁部１０３の内周面に沿って等間隔に３つ設けられている。すなわち、これら３つの各低活性光照射光源１１０は、環状の光源支持壁部１０３の中心部（ベース体１０１の中心部でもある）、換言すれば、制御部ハウジング１２０に向かって低活性光Ｌ１を照射するように光源支持壁部１０３の内周面に取り付けられている。また、これら３つの各低活性光照射光源１１０は、後述する制御部１４０によって作動が制御される。本実施形態においては、低活性光照射光源１１０は、５９０ｎｍの波長が発光ピークとなるＬＥＤ発光素子（Light Emitting Diode：発光ダイオード）によって構成されている。
【００２８】
制御部ハウジング１２０は、後述する利用光照射光源１３０を支持するとともに制御部１４０を収容する部品であり、樹脂製の円筒体の両端部を塞いだ中空の円柱状に形成されている。この制御部ハウジング１２０は、カバー１６０側の端面に利用光照射手段１３０が取り付けられているとともに、円筒体の内部に制御部１４０が収容されている。
【００２９】
利用光照射光源１３０は、低活性光Ｌ１の発光ピークとは異なる色、すなわち、低活性光Ｌ１の発光ピークとは異なる波長の発光ピークを有する利用光Ｌ２を照射することができる光学素子である。この場合、利用光Ｌ２とは、この低誘引性照明装置１００の利用者が照明として必要とする波長の光であり、例えば、白色光である。本実施形態においては、利用光照射光源１３０は、白色光を照射するＬＥＤ発光素子（Light Emitting Diode：発光ダイオード）によって構成されている。
【００３０】
この場合、白色光は、可視光線の全域に渡って連続したスペクトルによって実現される光であり、光の三原色の混合や補色関係にある２色の混合などによって人間の目で白色に見える光である。本実施形態においては、利用光照射光源１３０は、青色（約４２０〜４７０ｎｍの波長領域の光）を発光するＬＥＤ発光素子の外側に黄色の蛍光物質を塗布した樹脂製の透光性カバーで覆って構成されている。
【００３１】
この利用光照射光源１３０は、低誘引性照明装置１００の利用者が利用光Ｌ２を必要とする領域に向かって利用光Ｌ２を照射する向きで制御部ハウジング１２０に取り付けられている。本実施形態においては、利用光照射光源１３０は、取付面１０に対向する側（図示下方）の通路上に利用光Ｌ２を照射する。また、この利用光照射光源１３０は、制御部１４０によって作動が制御される。なお、利用光Ｌ２は、各図において破線で示す。また、低活性光Ｌ１と利用光Ｌ２との境界は便宜上破線で示しているが、実際の両者の境界は徐々に変化して不明確である。
【００３２】
制御部１４０は、マイクロコンピュータによって構成されており、低活性光照射光源１１０および利用光照射光源１３０の作動をそれぞれ制御する機器であり、制御部ハウジング１２０内に収容されている。より具体的には、制御部１４０は、マイクロコンピュータにおける記憶装置（例えば、ＲＯＭ）内に予め記憶された図示しない制御プログラムに従って照度検出センサ１４１および進入検出センサ１４２からの検出信号を用いて低活性光照射光源１１０および利用光照射光源１３０の作動をそれぞれ制御する。
【００３３】
本実施形態においては、制御部１４０は、低活性光照射光源１１０を低誘引性照明装置１００の周囲の明るさ（照度）が所定の明るさ以下になった場合にのみ点灯させる。また、制御部１４０は、利用光照射光源１３０を低誘引性照明装置１００の周囲の明るさ（照度）が所定の明るさ以下の場合において低誘引性照明装置１００に対して所定の領域に物体が進入した場合にのみ点灯させる。
【００３４】
照度検出センサ１４１は、低誘引性照明装置１００の周囲の照度を検出して同照度に対応する電気信号を照度検出信号として制御部１４０に出力する検出器であり、例えば、光を感知するフォトダイオードと電気信号を増幅する電流増幅回路とを備えて構成されている。この照度検出センサ１４１は、ベース体１０１に支持された支持アーム１５０上に支持されている。
【００３５】
支持アーム１５０は、照度検出センサ１４１および進入検出センサ１４２をそれぞれ支持するための金属製の部品であり、ベース体１０１の外表面（図示上面）から径方向外側に向かって延びた後、先端部が低誘引性照明装置１００の照明側（図示下方）に向かって屈曲した長尺の板状に形成されている。そして、照度検出センサ１４１は、支持アーム１５０の先端部におけるカバー１６０とは反対側、すなわち、低誘引性照明装置１００から照射される低活性光Ｌ１および利用光Ｌ２の照射方向とは反対側に向けて取り付けられている。
【００３６】
進入検出センサ１４２は、低誘引性照明装置１００によって照らされる領域、より具体的には、利用光照射光源１３０によって利用光Ｌ２が照射される領域に人や物などの物体が進入した際に物体の進入変化に対応する電気信号を進入検出信号として制御部１４０に出力する検出器である。本実施形態においては、進入検出センサ１４２は、物体が発する熱（赤外線）を感知して進入検出信号として出力する所謂人感センサで構成されている。この進入検出センサ１４２は、利用光照射光源１３０によって利用光Ｌ２が照射される領域を進入検出領域となるように支持アーム１５０の先端部に取り付けられている。
【００３７】
また、この制御部１４０は、低活性光照射光源１１０、利用光照射光源１３０、照度検出センサ１４１および進入検出センサ１４２をそれぞれ駆動するための電力を外部電源（例えば、１００Ｖコンセント）に繋がった給電部１１から受けるための電気回路からなる電源部１４３および制御部１４０への指示を入力するための入力装置１４４をそれぞれ備えている。
【００３８】
この場合、電源部１４３は、前記給電部１１に対して電気的に着脱自在に接続するための図示しない接続端子が制御部ハウジング１２０の取付面１０側に対向する端面（図示上側の端面）から露出した状態で設けられている。また、入力装置１４４は、照度検出センサ１４１および進入検出センサ１４２の各検出感度を所定の感度範囲内で調節して設定することができる。
【００３９】
カバー１６０は、低活性光照射光源１１０および利用光照射光源１３０からそれぞれ照射される低活性光Ｌ１および利用光Ｌ２を透過させつつベース体１０１の内側を着脱自在に覆う部品であり、乳白色の半透明な樹脂材を断面が水滴状の曲面で構成されている。すなわち、カバー１６０は、低活性光照射光源１１０および利用光照射光源１３０からそれぞれ照射される低活性光Ｌ１および利用光Ｌ２の指向性を低減、換言すれば、低活性光Ｌ１および利用光Ｌ２の一部を拡散反射するとともに他の一部を透過させるように構成されている。
【００４０】
この場合、カバー１６０は、例えば、低活性光Ｌ１および利用光Ｌ２がそれぞれ透過する面に複数の凹凸を形成した所謂梨地で構成することができる。また、カバー１６０は、例えば、低活性光Ｌ１および利用光Ｌ２がそれぞれ透過する面に光散乱剤（例えば、炭酸マグネシウムや酸化チタンなどを含む顔料）を塗布して構成することもできる。
【００４１】
（低誘引性照明装置１００の作動）
次に、このように構成された低誘引性照明装置１００の作動について説明する。まず、低誘引性照明装置１００を設置する設置者は、低誘引性照明装置１００を取付面１０に取り付ける。この場合、低誘引性照明装置１００は、例えば、建物内における屋外に対して開放された階段や通路などの壁や天井部などの取付面１０に取り付けられる。本実施形態においては、設置者は、アパートやマンションなどの集合住宅における共用通路の各戸の玄関扉近傍の天井面に低誘引性照明装置１００を設置する。具体的には、設置者は、低誘引性照明装置１００の電源部１４３を取付面１０に設けられた給電部１１に接続する。
【００４２】
これにより、低誘引性照明装置１００は、取付面１０に取り付けられるとともに、制御部１４０が給電部１１からの給電を受けて作動を開始する。具体的には、制御部１４０は、記憶装置内に予め記憶された制御プログラムを実行することによって照度検出センサ１４１および進入検出センサ１４２からの各検出信号を入力するとともにこれらの入力した各検出信号に応じて低活性光照射光源１１０および利用光照射光源１３０の作動制御を開始する。
【００４３】
次に、設置者は、制御部１４０に対して低活性光照射光源１１０および利用光照射光源１３０の作動仕様を設定する。具体的には、設置者は、低活性光照射光源１１０を点灯させる低誘引性照明装置１００の周囲の照度、および利用光照射光源１３０を点灯させる条件（進入検出センサ１４２の検出エリア内に物体が存在する時間や同物体が存在しなくなってからの点灯時間）を入力装置１４４を介して制御部１４０に設定する。これにより、制御部１４０は、設定された低活性光照射光源１１０および利用光照射光源１３０の作動仕様に従って低活性光照射光源１１０および利用光照射光源１３０の作動を制御する。
【００４４】
具体的には、制御部１４０は、低誘引性照明装置１００の周囲の照度が設定値以上、例えば、明け方から日没までの昼間の場合には低活性光照射光源１１０および利用光照射光源１３０を点灯させないように制御する。一方、制御部１４０は、低誘引性照明装置１００の周囲の照度が設定値以下、例えば、日没から明け方までの夜間において低活性光照射光源１１０を常時点灯させるとともに利用光照射光源１３０の照射領域に物体が進入した場合にのみ所定の時間だけ利用光照射光源１３０を点灯させる。
【００４５】
すなわち、低誘引性照明装置１００は、夜間において低活性光照射光源１１０を常時点灯させることによって低誘引性照明装置１００の設置場所における必要最小限の照度を常に確保する。この場合、低活性光照射光源１１０から照射された低活性光Ｌ１は、ベース体１０１およびカバー１６０の各内壁面を拡散反射しながらカバー１６０を介して外部に向かって出射する。これにより、カバー１６０は、低活性光Ｌ１によって面発光する。これにより、低誘引性照明装置１００は、カバー１６０から出射される低活性光Ｌ１が虫の活動を停止させて休止状態（明適応）とさせる光であるため、低誘引性照明装置１００への虫の誘引および活動が防止できる。
【００４６】
そして、低誘引性照明装置１００の直下、すなわち、利用光照射光源１３０の照射領域に人などの物体が一定時間の進入した場合には、制御部１４０は利用光照射光源１３０を点灯させる。この場合、低誘引性照明装置１００は、カバー１６０が低活性光照射光源１１０の点灯によって面発光している状態においてこのカバー１６０に直接対向配置された利用光照射光源１３０が利用光Ｌ２を照射する。このため、低誘引性照明装置１００は、図４に示すように、低活性光Ｌ１が面発光しているカバー１６０の中央部から利用光Ｌ２が照射されて、低誘引性照明装置１００の前方の領域に対して利用光Ｌ２の照射領域の周囲を囲むように低活性光Ｌ１が照射される。
【００４７】
これにより、低誘引性照明装置１００は、低誘引性照明装置１００の直下に位置した人に対して低活性光Ｌ１に比べて明るく手元などが見易い光（利用光Ｌ２）を照射しながら、その周囲を低活性光Ｌ１で覆うことによって害虫（例えば、不快害虫、農業害虫または衛生害虫や、これらの虫を捕食する捕虫害虫）などの虫の誘引や活発な活動を抑制することができる。そして、低誘引性照明装置１００は、利用光照射光源１３０の照射領域に人などの物体が存在しなくなった場合には、制御部１４０によって利用光照射光源１３０を消灯させる。これにより、低誘引性照明装置１００は、利用光照射装置１３０を点灯させる前の低活性光照明光源１１０のみを点灯させた状態に戻る。また、低誘引性照明装置１００は、低誘引性照明装置１００の周囲の照度が設定値以上、すなわち、明け方になった場合には、制御部１４０によって低活性光照射光源１１０が消灯される。
【００４８】
上記作動説明からも理解できるように、上記実施形態によれば、低誘引性照明装置１００は、虫が明適応となる低活性光Ｌ１の照射領域が低活性光Ｌ１の発光ピークとは異なる波長の発光ピークを有する利用光Ｌ２の照射領域の全周を囲むように構成されているため、低活性光Ｌ１によって囲まれた外側において虫の走光性や活動が抑えられる。この場合、低誘引性照明装置１００は、必ずしも低活性光Ｌ１を照射する低活性光照射光源１１０および利用光Ｌ２を照射する利用光照射光源１３０をそれぞれ複数ずつ用意する必要がないとともに、利用光照射光源１３０を低活性光照射光源１１０に対して分散配置する必要もない。この結果、低誘引性照明装置１００は、消費電力、ランニングコストおよび製作コストを低減させるとともに製作負担を軽減することができる。
【００４９】
さらに、本発明の実施にあたっては、上記実施形態に限定されるものではなく、本発明の目的を逸脱しない限りにおいて種々の変更が可能である。なお、各変形例の説明においては、上記実施形態と同様の部分については同じ符号を付して重複する説明は省略する。
【００５０】
例えば、上記実施形態においては、低活性光照射光源１１０は、５９０ｎｍの波長が発光ピークとなるＬＥＤ発光素子によって構成した。しかし、低活性光照射光源１１０は、５００ｎｍ以上かつ６２０ｎｍの波長領域で発光ピークを有する低活性光Ｌ１を照射することができる光学機器であれば上記実施形態に限定されるものではない。したがって、低活性光照射光源１１０は、虫が明適応状態となる概ね５００ｎｍ以上（緑色）かつ６２０ｎｍ（オレンジ色）以下の波長領域で発光ピークを有する低活性光Ｌ１を照射する各種光学機器、例えば、ＬＥＤ発光素子のほか、蛍光灯、水銀灯、ハロゲンランプまたは電球などで構成することができる。この場合、本発明者の実験によれば、低活性光Ｌ１の発光ピークは、好ましくは５７０ｎｍ以上かつ５９０ｎｍ以下の波長領域、より好ましくは５９０ｎｍ以上かつ６２０ｎｍ以下の波長領域に設定するとよい。
【００５１】
また、上記実施形態においては、３つの低活性光照射光源１１０は、ベース体１０１の中心部に向かってそれぞれ低活性光Ｌ１を照射するように構成した。これにより、低誘引性照明装置１００は、ベース体１０１の内部で光を拡散反射させてムラのない光を照射することができる。しかし、低誘引性照明装置１００は、低活性光照射光源１１０から照射される低活性光Ｌ１を取付面１０に向かう方向から同取付面１０に対して平行な方向までの角度範囲内のいずれかの向きで照射するように低活性光照射光源１１０を支持、換言すれば、低活性光照射光源１１０がカバー１６０に対して直接低活性光Ｌ１を照射しないように支持すれば低活性光Ｌ１の照射ムラを抑えることができる。なお、低誘引性照明装置１００は、低活性光照射光源１１０をカバー１６０に向けて（図示下方に向けて）低活性光Ｌ１を照射するように構成を排除するものではない。これによれば、低誘引性照明装置１００は、低活性光Ｌ１の光量減少を抑えることができる。
【００５２】
また、低活性光照射光源１１０の数についても、低活性光Ｌ１の照射領域が利用光Ｌ２の照射領域の周囲の少なくとも半分以上を囲むことができればよいため、２つ以下でもよいし４つ以上であってもよい。例えば、低誘引性照明装置１００は、図５に示すように、利用光照明光源１３０を囲むように１つ（または複数）の環状の蛍光灯で構成された低活性光照射光源１１０を本体部１０２に固定配置して構成することができる。また、例えば、低誘引性照明装置１００は、図６に示すように、低活性光照射光源１１０を利用光照明光源１３０の周囲のベース体１０１における本体部１０２上に複数配置して構成することもできる。
【００５３】
また、上記実施形態においては、低活性光照射光源１１０は、低活性光Ｌ１の照射領域が利用光Ｌ２の照射領域の全周を囲むように利用光照射光源１３０の周囲に配置した。しかし、低活性光照射光源１１０は、低活性光Ｌ１の照射領域が利用光Ｌ２の照射領域の周囲を少なくとも半分以上を囲むことができるように利用光照射光源１３０の周囲の少なくとも一部に配置されていればよい。したがって、例えば、低誘引性照明装置１００の設置場所が廊下や階段のように周囲の一部に壁などの光の照射が不要なものが存在している場合には、光の照射が不要な部分に低活性光Ｌ１を照射する低活性光照射光源１１０を省略することができる。例えば、図７（Ａ），（Ｂ）にそれぞれ示すように、低活性光照射光源１１０は、利用光照明光源１３０の周囲のベース体１０１の本体部１０２上の半分の領域にだけ低活性光照射光源１１０を配置して構成することができる。
【００５４】
また、上記実施形態においては、利用光照明光源１３０は、白色光を照射するＬＥＤ発光素子で構成した。しかし、利用光照明光源１３０は、低活性光Ｌ１とは異なる色の光または視認することができない光であって低誘引性照明装置１００の利用者が所望する波長構成の利用光Ｌ２を照射することができる光学機器であれば上記実施形態に限定されるものではない。したがって、利用光照明光源１３０は、白色以外の可視光を照射する光源で構成することができる。
【００５５】
この場合、利用光照明光源１３０は、例えば、赤色光（波長が６４０〜６９０ｎｍ）を発する赤色ＬＥＤ発光素子および青色光（波長が４２０〜４７０ｎｍ）を発する青色ＬＥＤ発光素子で構成することができる。この場合、赤色光は植物の葉の成長および光合成を活発化させる光であるとともに、青色光は植物の茎の成長を活発化させ、さらには形態を整える光であることが知られている。したがって、低誘引性照明装置１００は、利用光照明光源１３０が青色および赤色の利用光Ｌ２を照射するように構成することによって、植物への虫の誘引や活動を抑えながら効率的に植物を栽培することができる。この場合、利用光照明光源１３０は、植物の効果的な育成を図るには青色光の割合に対して赤色光の割合を大きくするとよい。また、低誘引性照明装置１００は、利用光照明光源１３０を夜間において植物の育成に必要な最低時間の間だけ点灯、または常時点灯するように構成するとよい。
【００５６】
また、利用光照射光源１３０は、ＬＥＤ発光素子のほかに、蛍光灯、水銀灯、ハロゲンランプまたは電球などで構成することができる。この場合、利用光照射光源１３０を指向性の高い光源、例えば、スポットライトで構成することによって利用光Ｌ２の集中させることができるとともに利用光Ｌ２の拡散を防止することができる。また、利用光照射光源１３０の周囲を円筒体で囲むことによっても利用光Ｌ２の低活性光Ｌ１側への拡散を抑制することができる。また、利用光照射光源１３０の数についても、利用光Ｌ２について必要な照度を確保できればよいため、２つ以下でもよいし４つ以上であってもよい。
【００５７】
また、上記実施形態においては、利用光照射光源１３０は、ベース体１０１の中央部の位置に取付面１０に対して直交する方向（鉛直下向き）に利用光Ｌ２を出射する向きに設けられている。しかし、利用光照射光源１３０は、照射する利用光Ｌ２が低活性光Ｌ１によって囲まれる位置および向きで設けられていればよく、必ずしも上記実施形態に限定されるものではない。したがって、低誘引性照明装置１００は、例えば、利用光照射光源１３０から照射される利用光Ｌ２を取付面１０に対して対向する方向から同取付面１０に対して平行な方向までの角度範囲内のいずれかの向きで照射するように利用光照射光源１３０を保持するように構成することができる。また、低誘引性照明装置１００は、利用光照射光源１３０を利用光Ｌ２の必要な位置に応じてベース体１０１の中央部以外の位置に設けるようにしてもよいし、例えば、図８に示すように、利用光Ｌ２が必要な位置に向けて利用光Ｌ２を照射可能な向きに利用光照射光源１３０を傾けて設けることもできる。
【００５８】
また、上記実施形態においては、低誘引性照明装置１００は、低活性光照射光源１１０および利用光照明光源１３０をそれぞれＬＥＤ発光素子で構成した。しかし、低誘引性照明装置１００は、低活性光照射光源１１０および利用光照明光源１３０をそれぞれ別個の照明器具で構成することができる。例えば、低誘引性照明装置１００は、図９に示すように、白色光の利用光Ｌ２を照射する電球からなる利用光照射光源１３０を備えた利用光照射器具１７０の四方に５００ｎｍ以上かつ６２０ｎｍの波長領域で発光ピークを有する低活性光Ｌ１を照射する蛍光灯からなる低活性光照射光源１１０を備えた低活性光照射器具１８０を配置して構成することができる。これによれば、低誘引性照明装置１００は、低活性光照射光源１１０および利用光照射光源１３０によって構成した場合に比べて、より広範囲に低活性光Ｌ１および利用光Ｌ２を照射することができる。そして、これらの低活性光照射光源１１０および／または低活性光照射器具１８０が本発明に係る低活性光照射手段に相当し、利用光照射光源１３０および／または利用光照射器具１７０が本発明に係る利用光照射手段に相当する。なお、図９においては、天井や壁などの取付面１０の一部を二点鎖線で示している。
【００５９】
また、上記実施形態においては、低誘引性照明装置１００は、進入検出センサ１４２を用いて利用光照射光源１３０の利用光Ｌ２の照射領域に人などの物体が進入した際に利用光Ｌ２を照射するように構成した。しかし、低誘引性照明装置１００は、進入検出センサ１４２を省略して構成することができる。この場合、低誘引性照明装置１００は、利用光照射光源１３０を低誘引性照明装置１００の利用者の手動操作によって点灯または消灯させるための手動スイッチを設けて構成してもよいし、低活性光照射光源１１０の点灯または消灯の各動作に利用光照射光源１３０の点灯または消灯の各動作が連動するように構成することもできる。
【００６０】
また、低誘引性照明装置１００は、進入検出センサ１４２として赤外線以外の方式で人や物の存在を検出する検出手段やその他の制御機器を用いて利用光照射光源１３０の作動を制御することができる。例えば、低誘引性照明装置１００は、マイクロ波や超音波を用いた進入検出センサ１４２によって利用光照射光源１３０の利用光Ｌ２の照射領域への人などの物体の進入を検出して利用光Ｌ２を照射するように構成することができる。また、低誘引性照明装置１００は、タイマーを用いて所定の時間に利用光照射光源１３０の点灯または消灯の各動作を制御するように構成することもできる。すなわち、これらの手動スイッチ、進入検出センサ１４２およびタイマーが、本発明に係る利用光制御手段に相当する。
【００６１】
また、上記実施形態においては、低誘引性照明装置１００は、照度検出センサ１４１を用いて低活性光照射光源１１０の作動を制御するように構成した。しかし、低誘引性照明装置１００は、照度検出センサ１４１以外の機器を用いて低活性光照射光源１１０の作動を制御するように構成することができる。例えば、低誘引性照明装置１００は、タイマーを用いて所定の時間に低活性光照射光源１１０の点灯または消灯の各動作を制御することができる。また、低誘引性照明装置１００は、照度検出センサ１４１を省略して構成することができる。この場合、低誘引性照明装置１００は、低活性光照射光源１１０を低誘引性照明装置１００の利用者の手動操作によって点灯または消灯させるための手動スイッチを設けて構成してもよいし、利用光照射光源１３０の点灯または消灯の各動作に低活性光照射光源１１０の点灯または消灯の各動作が連動するように構成することもできる。
【００６２】
また、上記実施形態においては、ベース体１０１は、底面視で円形に形成した。しかし、ベース体１０１の形状は、必ずしも上記実施形態に限定されるものではなく、例えば、図１０に示すように、底面視で方形に形成することもできる。この場合、低活性光照射光源１１０は、方形に形成されたベース体１０１における四隅に配置することができる。また、図１に示すように、ベース体１０１における本体部１０２上にシート状（例えば、金属箔や金属板）の反射板１０５を設けることによって低誘引性照明装置１００から照射される主として低活性光Ｌ１の光量を増加させることができる。すなわち、反射体１０５が、本発明に係る拡散反射体に相当する。なお、図１においては、反射板１０５を二点鎖線で示している。
【００６３】
また、上記実施形態においては、低誘引性照明装置１００は、半透明のカバー１６０を備えて構成した。すなわち、カバー１６０が、本発明に係る拡散反射体に相当する。しかし、低誘引性照明装置１００は、透明のカバー１６０を備えて構成することができるとともに、カバー１６０を省略して構成することもできる。また、カバー１６０は、利用光照射光源１３０が対向する部分のみ透明に構成するとともに、この透明部分以外の部分を半透明で構成することもできる。これによれば、低誘引性照明装置１００は、カバー１６０を介して低活性光Ｌ１を面発光させながら利用光Ｌ２の光量減少を抑えて照射することができる。また、カバー１６０は、樹脂材のほか、ガラス材を用いて構成することもできる。
【００６４】
また、上記実施形態においては、低誘引性照明装置１００は、アパートやマンションなどの集合住宅において、屋外に対して開放された階段や通路などの共用スペースに設置した。しかし、低誘引性照明装置１００は、集合住宅以外の場所、例えば、屋根付き駐車場、屋根付き駐輪場、駅の構内、食堂、病院、学校、各種店舗、農場または植物栽培ハウスなどの照明器具として用いることができる。
【符号の説明】
【００６５】
Ｌ１…低活性光、Ｌ２…利用光、
１０…取付面、１１…給電部、
１００…低誘引性照明装置、
１０１…ベース体、１０２…本体部、１０３…光源支持壁部、１０４…カバー保持部、１０５…反射板、
１１０…低活性光照射光源、
１２０…制御部ハウジング、
１３０…利用光照射光源、
１４０…制御部、１４１…照度検出センサ、１４２…進入検出センサ、１４３…電源部、１４４…入力装置、
１５０…支持アーム、
１６０…カバー、
１７０…利用光照射器具、
１８０…低活性光照射器具。
【図１】
2015130305.tif 000003
【図２】
2015130305.tif 000004
【図３】
2015130305.tif 000005
【図４】
2015130305.tif 000006
【図５】
2015130305.tif 000007
【図６】
2015130305.tif 000008
【図７】
2015130305.tif 000009
【図８】
2015130305.tif 000010
【図９】
2015130305.tif 000011
【図１０】
2015130305.tif 000012